(57)【要約】【課題】水中ポンプ３の運転開始時に一定時間だけ水中ポンプ３からの噴流をポンプ槽１内に吐出させて攪拌を行うポンプ槽内攪拌装置４を備えた水中ポンプ装置において、ポンプケーシング３ａの噴流吐出口２９への異物の引っ掛かりを抑制して、ポンプ槽内攪拌装置４の性能を安定して確保する。【解決手段】遠心ポンプからなる水中ポンプ３において、その渦巻き型ポンプケーシング３ａに開口する噴流吐出口２９におけるポンプ室側開口端２９ａの周縁部のうち、ポンプ吐出口２６側に位置する下流側半部２９ｂを円弧面とする。【選択図】図５
2007270748.tif 000002
【特許請求の範囲】
【請求項１】
水槽内に設置される水中ポンプと、該水中ポンプに取り付けられ、水中ポンプの運転開始時に一定時間だけ水中ポンプからの噴流の一部又は全部を水槽内に吐出させて該水槽内の攪拌を行うポンプ槽内攪拌装置とを備えた水中ポンプ装置であって、
上記水中ポンプは、羽根車を収容するポンプ室を有するポンプケーシングを備え、
上記ポンプケーシングには、上記攪拌装置に噴流を吐出する噴流吐出口が開口されており、
上記噴流吐出口におけるポンプ室側開口端の周縁部は、断面円弧形状の円弧面で構成されていることを特徴とする水中ポンプ装置。
【請求項２】
水槽内に設置される水中ポンプと、該水中ポンプに取り付けられ、水中ポンプの運転開始時に一定時間だけ水中ポンプからの噴流の一部又は全部を水槽内に吐出させて該水槽内の攪拌を行うポンプ槽内攪拌装置とを備えた水中ポンプ装置であって、
上記水中ポンプは、羽根車を収容するポンプ室を有する渦巻き型ポンプケーシングを備えた遠心ポンプからなり、
上記ポンプケーシングには、ポンプ吐出口と、該ポンプ吐出口のポンプ室内水流の上流側近傍に配置され、上記攪拌装置に噴流を吐出する噴流吐出口とが開口されており、
上記噴流吐出口におけるポンプ室側開口端の周縁部のうち上記ポンプ吐出口側に位置する下流側部分は、断面円弧形状の円弧面で構成されていることを特徴とする水中ポンプ装置。
【請求項３】
請求項２の水中ポンプ装置において、
噴流吐出口におけるポンプ室側開口端の周縁部の円弧面は、ポンプ吐出口と反対側に位置する上流側に向かって曲率半径が徐々に小さくなるものであることを特徴とする水中ポンプ装置。
【発明の詳細な説明】
【技術分野】
【０００１】
本発明は、水槽内に設置される水中ポンプ装置に関し、特に、水中ポンプの運転開始時に一定時間だけ水中ポンプからの噴流を水槽内に吐出させて攪拌を行うポンプ槽内攪拌装置付きの水中ポンプ装置に関する。
【背景技術】
【０００２】
この種の水中ポンプ装置に付設されるポンプ槽内攪拌装置は、水中ポンプの運転開始時に噴流を一定時間吐出して水槽内を攪拌することで、水槽内の砂、汚泥、浮遊油脂、スカム等を水中に巻き上げ、それらを後続するポンプ運転により水中ポンプに吸い込んで排出できるようにしたものであり、この槽内攪拌装置によって、水槽内に砂や汚泥が滞留又は堆積したり、浮遊油脂やスカムが槽壁等に固着したりすることが抑制され、槽内を洗浄できる効果が得られる。
【０００３】
このような槽内攪拌装置として、従来、特許文献１や特許文献２に開示されたものがある。この特許文献１，２に係る槽内攪拌装置では、水中ポンプの運転開始時に、水中ポンプからの噴流が槽内攪拌装置の内部に流入するとともに、この噴流が吐出口から水槽内に吐出されて水槽内が攪拌され、その後に槽内攪拌装置内部のボール弁が噴流の負圧により吐出孔を塞いで、槽内攪拌装置からの噴流の吐出を停止するようになっている。
【特許文献１】特許第３５７０８６１号公報
【特許文献２】実願平１０−８９６５号のＣＤ−ＲＯＭ
【発明の開示】
【発明が解決しようとする課題】
【０００４】
ところで、このポンプ槽内攪拌装置付きの水中ポンプ装置を汚水槽に設置した場合、水中ポンプの起動時に汚水中に含まれる異物がポンプケーシング内に吸い込まれることがある。そして、この異物がポンプケーシングから噴流と共に槽内攪拌装置に供給されたとき、その異物がポンプケーシングの噴流吐出口に引っ掛かって該噴流吐出口が閉塞されてしまい、槽内攪拌装置の性能を確保できないという問題が生じる。
【０００５】
本発明は斯かる点に鑑みてなされたものであり、その目的は、上記ポンプ槽内攪拌装置付きの水中ポンプ装置において、そのポンプケーシングの噴流吐出口の構造を改良することにより、その噴流吐出口への異物の引っ掛かりを抑制して、ポンプ槽内攪拌装置の性能を安定して確保できるようにすることにある。
【課題を解決するための手段】
【０００６】
上記の目的を達成すべく、この発明では、ポンプケーシングの噴流吐出口におけるポンプ室側開口端部を円弧面で構成し、この円弧面によって異物が引っ掛かり難くするようにした。
【０００７】
具体的には、請求項１の発明では、水槽内に設置される水中ポンプと、この水中ポンプに取り付けられ、水中ポンプの運転開始時に一定時間だけ水中ポンプからの噴流の一部又は全部を水槽内に吐出させて該水槽内の攪拌を行うポンプ槽内攪拌装置とを備えた水中ポンプ装置が対象である。
【０００８】
そして、上記水中ポンプは、羽根車を収容するポンプ室を有するポンプケーシングを備え、このポンプケーシングには、上記攪拌装置に噴流を吐出する噴流吐出口が開口されており、この噴流吐出口におけるポンプ室側開口端の周縁部は、断面円弧形状の円弧面で構成されていることを特徴とする。
【０００９】
この請求項１の発明の構成によると、ポンプ槽内攪拌装置により、水中ポンプの運転開始時に一定時間だけ、そのポンプケーシングにおける噴流吐出口から噴流の一部又は全部が水槽内に吐出され、この噴流により水槽内が攪拌される。そのとき、噴流吐出口におけるポンプ室側開口端の周縁部が断面円弧形状の円弧面であるので、上記噴流の吐出状態で、水中ポンプのポンプケーシング内のポンプ室に水槽内の異物が吸い込まれたとしても、その異物は上記噴流吐出口の、円弧面からなるポンプ室側開口端の周縁部に引っ掛かり難くなり、仮に引っ掛かっても外れ易くなる。そのため、噴流吐出口が異物により閉塞されることはなく、上記噴流吐出口から噴流を水槽内に吐出して水槽内を攪拌するというポンプ槽内攪拌装置の性能が安定して得られる。
【００１０】
請求項２の発明では、上記請求項１の発明と同様に、水槽内に設置される水中ポンプと、この水中ポンプに取り付けられ、水中ポンプの運転開始時に一定時間だけ水中ポンプからの噴流の一部又は全部を水槽内に吐出させて該水槽内の攪拌を行うポンプ槽内攪拌装置とを備えた水中ポンプ装置が対象である。
【００１１】
そして、上記水中ポンプは、羽根車を収容するポンプ室を有する渦巻き型ポンプケーシングを備えた遠心ポンプからなるものとする。このポンプケーシングには、ポンプ吐出口と、このポンプ吐出口のポンプ室内水流の上流側近傍に配置され、上記攪拌装置に噴流を吐出する噴流吐出口とが開口されており、この噴流吐出口におけるポンプ室側開口端の周縁部のうち上記ポンプ吐出口側に位置する下流側部分は、断面円弧形状の円弧面で構成されていることを特徴とする。
【００１２】
この請求項２の発明の構成によると、ポンプ槽内攪拌装置により、遠心ポンプからなる水中ポンプの運転開始時に一定時間だけ、その渦巻き型ポンプケーシングにおける噴流吐出口から噴流の一部又は全部が水槽内に吐出され、この噴流により水槽内が攪拌される。そのとき、ポンプ吐出口のポンプ室内水流の上流側近傍に開口している噴流吐出口におけるポンプ室側開口端の周縁部のうち上記ポンプ吐出口側に位置する下流側部分が円弧面であるので、水中ポンプに水槽内の異物が吸い込まれたとしても、その異物は上記噴流吐出口のポンプ室側開口端周縁部の、円弧面からなる下流側部分に引っ掛かり難くなり、仮に引っ掛かっても外れ易くなる。そのため、噴流吐出口が異物により閉塞されることはなく、上記噴流吐出口から噴流を水槽内に吐出して水槽内を攪拌するというポンプ槽内攪拌装置の性能が安定して得られる。
【００１３】
また、噴流吐出口におけるポンプ室側開口端の周縁部のうちポンプ吐出口側に位置する下流側部分のみが円弧面であるので、上記噴流吐出口のポンプ室側開口端周縁部全体を円弧面とする場合に比し、羽根車の振動やポンプの動力損失を小さくすることができる。
【００１４】
請求項３の発明では、上記請求項２の発明の水中ポンプ装置において、噴流吐出口におけるポンプ室側開口端の周縁部の円弧面は、ポンプ吐出口と反対側に位置する上流側に向かって曲率半径が徐々に小さくなるものとする。
【００１５】
この請求項３の発明によると、噴流吐出口におけるポンプ室側開口端の周縁部の円弧面の曲率半径が下流側から上流側に向かって徐々に小さくなるように変化し、異物をより一層引っ掛かり難くすることができる。
【発明の効果】
【００１６】
以上の如く、請求項１の発明では、水中ポンプの運転開始時に一定時間だけ水中ポンプからの噴流を水槽内に吐出させて攪拌を行うポンプ槽内攪拌装置を備えた水中ポンプ装置において、水中ポンプのポンプケーシングに開口する噴流吐出口におけるポンプ室側開口端の周縁部を円弧面とした。また、請求項２の発明では、遠心ポンプからなる水中ポンプの渦巻き型ポンプケーシングに開口する噴流吐出口におけるポンプ室側開口端の周縁部のうちポンプ吐出口側に位置する下流側部分を円弧面とした。これらの発明によれば、水中ポンプに吸い込まれた異物が噴流吐出口におけるポンプ室側開口端の周縁部に引っ掛かって噴流吐出口が閉塞されるのを防止することができ、ポンプ槽内攪拌装置の性能が安定して得られる。特に、請求項２の発明によると、噴流吐出口におけるポンプ室側開口端の周縁部のうちのポンプ吐出口側に位置する下流側部分のみを円弧面としたことにより、噴流吐出口のポンプ室側開口端周縁部の全体を円弧面とする場合に比べて、羽根車の振動の低減やポンプの動力損失の低減を図ることができる。
【００１７】
請求項３の発明によると、噴流吐出口におけるポンプ室側開口端の周縁部のうちの下流側部分の円弧面を、上流側に向かって曲率半径が徐々に小さくなる円弧面としたことにより、異物をより一層の引っ掛かり難くすることができる。
【発明を実施するための最良の形態】
【００１８】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１９】
図１において、１は流入口５及びマンホール１１を有する水槽としての下水中継ポンプ槽、２は水中ポンプ３に槽内攪拌装置４が付設された本発明の実施形態に係る水中ポンプ装置であり、上記水中ポンプ３は電動モータ３ｂを有しており、ポンプ槽１内に流入口５より流入した下水は、その水位が所定の運転レベル以上になると、所定の停止レベルに水位が低下するまで、モータ３ｂの作動による水中ポンプ装置２の運転により該水中ポンプ装置２に吸い込まれた後に固定排出管６から排出される。この水中ポンプ装置２の運転制御のために、ポンプ槽１内に運転用フロートスイッチ７、停止用フロートスイッチ８及び異常水位警報用フロートスイッチ９が設けられ、ポンプ槽１の上方に制御盤１０が設けられている。
【００２０】
水中ポンプ装置２は、下水中継ポンプ槽１のマンホール１１よりガイドパイプ１２を伝って槽内底部に降ろされ、着脱装置１３により該下水中継ポンプ槽１に着脱自在に設置される。水中ポンプ装置２の昇降のためにマンホール１１の蓋１４と水中ポンプ３とが昇降用チェーン１５によって連結されている。昇降用チェーン１５は水中ポンプ装置２の重心を通る垂直線上で水中ポンプ３の頂面部に接続されている。着脱装置１３は、水中ポンプ装置２をポンプ槽１内に固定された固定排出管６に結合するものであり、この結合により水中ポンプ装置２が固定排出管６に支持される。
【００２１】
すなわち、図２に示すように、上記着脱装置１３は、水中ポンプ３のポンプケーシング３ａにおけるポンプ吐出管部２５に設けられた着脱フランジ部１６及びフック１７を有する着脱用接続管２２と、固定排出管６の基端フランジ部１８とによって構成されている。フック１７は、着脱フランジ部１６の上部との間に下方に開口した係合凹部を形成し、固定排出管６の基端フランジ部１８の上部には当該係合凹部に嵌る係合部１８ａが形成されている。この係合凹部と係合部１８ａとの嵌合により、水中ポンプ装置２は固定排出管６に支持され、該水中ポンプ装置２の自重により着脱フランジ部１６を固定排出管６の基端フランジ部１８に押し当てるモーメントが働いて、両者は隙間なく接続される。フック１７及び係合部１８ａの互いの当接面には、上記嵌合を案内するとともに、上記フランジ部１６，１８同士を密に接続するためのテーパが形成されている。
【００２２】
図３に示すように、上記水中ポンプ３のポンプケーシング３ａにはその側方に突出するポンプ吐出管部２５が一体に形成されており、このポンプ吐出管部２５の先端に上記着脱用接続管２２が取り付けられている。着脱用接続管２２には、上記着脱フランジ部１６と、ガイドパイプ１２に摺動自在に係合するガイド２３とが設けられている。上記ガイドパイプ１２は２本あり、着脱用接続管２２にはガイド２３が２つ設けられている。
【００２３】
図３及び図４に示すように、上記水中ポンプ３は遠心ポンプからなり、そのポンプケーシング３ａは、羽根車（図示せず）を収容するポンプ室２７を内有する渦巻き型ポンプケーシングからなり、このポンプケーシング３ａの下部には吸込口３０が開口されている。また、ポンプケーシング３ａには上記ポンプ吐出管部２５が一体に形成され、このポンプ吐出管部２５内にポンプ室２７と連通するポンプ吐出口２６が開口している。このポンプ吐出口２６は、上記着脱装置１３によって水中ポンプ装置２（水中ポンプ３におけるポンプケーシング３ａのポンプ吐出管部２５）が固定排出管６に結合されたときに、該固定排出管６内と連通する。
【００２４】
また、図３及び図５に示すように、ポンプケーシング３ａには、上記ポンプ吐出管部２５内のポンプ吐出口２６に対し図５で矢印にて示すポンプ室内水流の上流側（図５で反時計回り方向）の近傍に噴流吐出管部２８が一体に形成され、この噴流吐出管部２８内に、ポンプ室２７から槽内攪拌装置４に噴流を吐出する噴流吐出口２９が開口されている。
【００２５】
上記槽内攪拌装置４は、水中ポンプ装置２の運転開始時、水中ポンプ３の吐出流の一部又は全部を槽内に吐出させるものである。図３及び図４に示すように、その槽内攪拌装置４のケーシング３１は、水中ポンプ３のポンプケーシング３ａに上記噴流吐出管部２８において取り付けられるケーシング本体４５と、その下側に結合されたダイヤフラムカバー４６とを備え、ケーシング本体４５の上側に保護カバー４７が設けられている。
【００２６】
ケーシング本体４５とダイヤフラムカバー４６とよりなるケーシング３１内は、図に示すように、下部ダイヤフラム４８によって、ボール弁４９を収容する上部の弁収容部５１と、下部の作動流体としてのオイルを収容する下部オイル室５２とに区画形成されている。下部ダイヤフラム４８は例えばゴム製のもので、その周縁部がケーシング本体４５とダイヤフラムカバー４６とに挟持されている。
【００２７】
一方、ケーシング本体４５の頂部には凹部が形成されていて、該凹部の周縁部と保護カバー４７との間に、例えばゴム等からなる上部ダイヤフラム５３の周縁部が挟持されて、該ケーシング本体４５の凹部と上部ダイヤフラム５３とによって上部オイル室５４が形成されている。保護カバー４７は上部ダイヤフラム５３を保護するものである。
【００２８】
下部オイル室５２と上部オイル室５４とは、ケーシング本体４５、ダイヤフラムカバー４６及び下部ダイヤフラム４８に形成されたオイル通路５５によって連通し、ダイヤフラムカバー４６にオイル通路５５のオイル流量を調整する調整弁５６が取り付けられている。
【００２９】
ケーシング本体４５の上部には、水中ポンプ３のポンプケーシング３ａにおける噴流吐出口２９から吐出された噴流を該ケーシング本体４５内部に導入するための流入部３２が設けられている。ケーシング本体４５は水中ポンプ３のポンプケーシング３ａに対し、ケーシング本体４５の流入部３２上流端に形成したフランジ３２ａをポンプケーシング３ａの噴流吐出管部２８の端面に締結することで取り付けられる。そして、流入部３２の内部には、水中ポンプ３のポンプ室２７と弁収容部５１とを連通させる噴流用通路５７が形成されており、この噴流用通路５７を介して、水中ポンプ３のポンプケーシング３ａの噴流吐出口２９から弁収容部５１へ噴流が流入する。
【００３０】
一方、ケーシング本体４５の上部において流入部３２と反対側には、該流入部３２から流入した噴流を外部に流出させる吐出部３３が設けられている。この吐出部３３は、内部を流れる噴流によってエジェクタ効果を発生させるエジェクタ機構３４と、このエジェクタ機構３４を通過した噴流をポンプ槽１内に吐出する吐出口３６を有するノズル３５とを備え、このノズル３５はエジェクタ機構３４の下流端に取り付けられている。
【００３１】
エジェクタ機構３４には、弁収容部５１に通じて該弁収容部５１から噴流を流出させる流出孔５８が形成され、この流出孔５８の上流端にはボール弁４９が着座可能な弁座５９が設けられている。このように構成されたエジェクタ機構３４は、弁収容部５１内の噴流が内部を通過することによって噴流の流速が増大し且つ静圧が低下する。
【００３２】
ダイヤフラムカバー４６はケーシング３１の底壁を構成し、この底壁は下部ダイヤフラム４８を底壁に沿わせて収めるべく下方へ突出した凸曲面状に形成されている。そうして、該底壁の周囲に、当該槽内攪拌装置４を平坦面上で自立させる設置部を構成する３本の脚６２，６２が設けられている（図４では１本のみ図示）。
【００３３】
上記３本の脚６２，６２のうちの１つの脚６２の内側には、該脚６２の上部と凸曲面状底壁との間にわたって延びる下方へ膨出した膨出部が形成され、当該脚６２と膨出部とによって上記調整弁５６の取付部６３が形成されている。すなわち、当該脚６２の外面から膨出部へ延びる調整弁取付孔が形成され、該取付孔に調整弁５６がねじ込まれている。
【００３４】
本発明の特徴として、図５及び図７〜図９に示すように、上記水中ポンプ３のポンプケーシング３ａの噴流吐出口２９におけるポンプ室側開口端２９ａの周縁部のうち上記ポンプ吐出口２６側に位置する下流側半部２９ｂは、断面円弧形状の円弧面で構成されている。この下流側半部２９ｂの円弧面は、図７〜図９に拡大して示すように、下流側端の円弧面の曲率半径ｒ１を最大として、そこからポンプ吐出口２６と反対側に位置する上流側に向かって曲率半径が徐々に小さくなる円弧面で構成されている。例えば、この円弧面の下流側端の曲率半径ｒ１は、図７に示すようにｒ１＝１０ｍｍとされ、下流側端から周方向に３０°ずれた位置の円弧面の曲率半径ｒ２は、図８に示すようにｒ２＝８ｍｍとされ、下流側端から周方向に６０°ずれた位置の円弧面の曲率半径ｒ３は、図９に示すようにｒ３＝５ｍｍとされている。
【００３５】
次に、上記実施形態の水中ポンプ装置２の作動を説明する。水中ポンプ３の始動前は、図４に実線にて示すように、槽内攪拌装置４におけるボール弁４９が弁収納部５１の下方の下部ダイヤフラム４８上にあって流出孔５８及び吐出口３６は開の状態にある。この状態でモータ３ｂの作動により水中ポンプ３を起動すると、その羽根車の回転によりポンプケーシング３ａの吸込口３０からポンプ室２７に下水が吸い込まれ、その一部が噴流吐出口２９から槽内攪拌装置４の噴流用通路５７を介して弁収容部５１に流入し、エジェクタ機構３４の流出孔５８を介してノズル３５の吐出口３６からポンプ槽１内へ噴出する。これによりポンプ槽１内が攪拌される。
【００３６】
そして、弁収容部５１からエジェクタ機構３４の流出孔５８を下水が通過することにより、弁収容部５１に負圧が発生し、この負圧によって、オイルが上部オイル室５４から下部オイル室５２に移動するのに合わせて、上部ダイヤフラム５３が下降するとともに、下部ダイヤフラム４８が上側に膨らむように偏倚して、その上にあるボール弁４９を押し上げ始める。
【００３７】
運転開始から約２０〜５０秒経過すると、図４に仮想線にて示すように、下部ダイヤフラム４８が完全に膨らんで上方に突出した状態になり、この下部ダイヤフラム４８にボール弁４９が押し上げられて弁座５９に着座し流出孔５８（吐出口３６）を閉じる。これにより、ノズル３５からの下水の噴出は停止し、下水はポンプ吐出管部２５（ポンプ吐出口２６）及び着脱用接続管２２を通って固定排出管６へ圧送されるようになる。そして、ボール弁４９が弁座５９に押し当てられた状態で弁収容部５１内が正圧になり、上部ダイヤフラム５３、下部ダイヤフラム４８及びオイルはポンプ始動前の状態に戻る。
【００３８】
そのとき、上記水中ポンプ３のポンプケーシング３ａにおいて、ポンプ吐出口２６よりもポンプ室内水流の上流側近傍に開口している噴流吐出口２９におけるポンプ室側開口端２９ａの周縁部のうち、上記ポンプ吐出口２６側に位置する下流側半部２９ｂが円弧面であるので、水中ポンプ３にポンプ槽１内の異物が吸い込まれたとしても、その異物は上記噴流吐出口２９におけるポンプ室側開口端２９ａの周縁部の、円弧面からなる下流側半部２９ｂに引っ掛かり難くなる。それだけではなく、仮にその異物がポンプ室側開口端２９ａの周縁部の下流側半部２９ｂに引っ掛かっても、その異物は外れ易くなる。例えば上記ボール弁４９が弁座５９に着座して吐出口３６が閉じた瞬間等に異物が外れたり、さらには水中ポンプ３を一旦停止した後に再起動すれば、引っ掛かった異物が外れたりする。その結果、噴流吐出口２９が異物により閉塞されることはなく、噴流吐出口２９から噴流をポンプ槽１内に吐出してポンプ槽１内を攪拌するというポンプ槽内攪拌装置４の性能が安定して得られる。
【００３９】
また、上記噴流吐出口２９におけるポンプ室側開口端２９ａの周縁部のうち、ポンプ吐出口２６側に位置する下流側半部２９ｂのみが円弧面であるので、そのポンプ室側開口端２９ａの周縁部全体（全周）を円弧面とする場合に比して、水中ポンプ３の羽根車の振動や水中ポンプ３の動力損失を小さくすることができる。
【００４０】
しかも、上記噴流吐出口２９におけるポンプ室側開口端２９ａの周縁部のうちの下流側半部２９ｂの円弧面が、上流側に向かって曲率半径の徐々に小さくなる円弧面であるので、そのポンプ室側開口端２９ａに異物がより一層引っ掛かり難くなる。
【００４１】
尚、上記異物は、噴流吐出口２９及び槽内攪拌装置４を経てノズル３５の吐出口３６からポンプ槽１内へ噴流と共に噴出されるか、又はポンプ吐出管部２５（ポンプ吐出口２６）及び着脱用接続管２２を通って固定排出管６へ汚水と共に圧送される。
【００４２】
一方、水中ポンプ装置２の作動が停止すると、上記ボール弁４９は弁座５９から離脱して下部ダイヤフラム４８の上に落ちる。尚、運転開始からボール弁４９が流出孔５８を閉じるまでの時間は、上記調整弁５６によって調整することができる。
【００４３】
このような槽内攪拌装置４の作動により、ポンプ槽１内の砂、汚泥、浮遊油脂、スカム等は、上記噴流によって攪拌され、ポンプ３に吸い込まれた後に固定排出管６から排出される。このため、水槽内に砂や汚泥が滞留ないしは堆積したり、浮遊油脂やスカムが槽壁等に固着することが抑制される。
【００４４】
また、ポンプ槽１内の汚水が攪拌されると、水面近傍の汚水も攪拌されるため、大気からの酸素の供給も積極的に行われ、曝気が促進される。
【００４５】
（他の実施形態）
尚、上記実施形態では、水中ポンプ３のポンプケーシング３ａの噴流吐出口２９におけるポンプ室側開口端２９ａの周縁部のうちの下流側半部２９ｂを、上流側に向かって曲率半径が徐々に小さくなる円弧面としているが、その下流側半部２９ｂを同じ曲率半径の円弧面とすることもできる。また、ポンプ室側開口端２９ａの周縁部のうちの下流側端部のみを部分的に円弧面としてもよく、上記実施形態と同様の作用効果を奏することができる。
【００４６】
また、上記実施形態では、ポンプケーシング３ａの噴流吐出口２９におけるポンプ室側開口端２９ａの周縁部のうちの下流側半部２９ｂを円弧面としているが、その噴流吐出口２９のポンプ室側開口端２９ａを周縁部の全体に亘って円弧面としてもよい。
【００４７】
また、上記実施形態では、水中ポンプ装置２の作動のためにフロートスイッチ７〜９を利用した水位センサを採用しているが、槽内攪拌装置４を使用する水槽ではフロートスイッチが水流で振り回されることから、誤検出を避けるために、気泡式等の圧力式センサを使用することがより望ましい。
【産業上の利用可能性】
【００４８】
本発明は、槽内攪拌装置付きの水中ポンプ装置において、ポンプに吸い込まれた異物が噴流吐出口のポンプ室側開口端周縁部に引っ掛かって噴流吐出口が閉塞されるのを防止して、ポンプ槽内攪拌装置の性能が安定して得られるので、極めて有用であり、産業上の利用可能性が高い。
【図面の簡単な説明】
【００４９】
【図１】図１は、下水ポンプ設備の全体構成を示す断面図である。
【図２】図２は、本発明の実施形態に係る水中ポンプ装置の水槽内での設置状態を一部省略して示す側面図である。
【図３】図３は、水中ポンプ装置の平面図である。
【図４】図４は、図３のIV−IV線断面図である。
【図５】図５は、図４のV−V線断面図である。
【図６】図６は、図３のVI−VI方向拡大矢視図である。
【図７】図７は、図６のVII−VII線断面図である。
【図８】図８は、図６のVIII−VIII線断面図である。
【図９】図９は、図６のIX−IX線断面図である。
【符号の説明】
【００５０】
１  下水中継ポンプ槽（水槽）
２  水中ポンプ装置
３  水中ポンプ
３ａ  ポンプケーシング
４  槽内攪拌装置
２５  ポンプ吐出管部（吐出管部）
２６  ポンプ吐出口
２７  ポンプ室
２８  噴流吐出管部
２９  噴流吐出口
２９ａ  ポンプ室側開口端
２９ｂ  下流側半部
ｒ１〜ｒ３  円弧面曲率半径
３４  エジェクタ機構
【図１】
2007270748.tif 000003
【図２】
2007270748.tif 000004
【図３】
2007270748.tif 000005
【図４】
2007270748.tif 000006
【図５】
2007270748.tif 000007
【図６】
2007270748.tif 000008
【図７】
2007270748.tif 000009
【図８】
2007270748.tif 000010
【図９】
2007270748.tif 000011